(57)【要約】      （修正有） 【課題】ボタンホールとボタンを有する各種のカフスの形状に対応して、該カフスに飾りボタンを有するカフスボタンを装着可能とするものであり、簡単かつ確実にカフスボタンをカフスに係止できると共に簡単に取り外しのできるカフスボタンの提供。特にきっちりと係止でき不用意に外れることがなく安心して装着することができる飾りボタンを有するカフスボタンの提供。【解決手段】飾りボタンと輪状の掛け渡し部とを有し、該掛け渡し部は閉塞部によって該輪状部分を狭め又は広げることができるものであり、該掛け渡し部をカフスのボタンホールに挿通した上でカフスのボタンに掛け、閉塞部によって掛け渡し部の輪状部を狭めることによって装着するカフスボタン。【選択図】図１
0003125296.tif 000002
【実用新案登録請求の範囲】
【請求項１】
飾りボタン１と輪状の掛け渡し部３とを有し、該掛け渡し部３は閉塞部４によって該輪状部分Ｒを狭め又は広げることができるものであって、
該掛け渡し部３をカフスＣのボタンホールＨに挿通した上でカフスＣのボタンＢに掛け、
閉塞部４によって掛け渡し部３の輪状部Ｒを狭めることによって装着することを特徴とするカフスボタン。
【請求項２】
飾りボタン１とこの飾りボタン１に連結する連結環２と、該連結環２に連結する輪状の掛け渡し部３とを有し、該掛け渡し部３は閉塞部４によって該輪状部分Ｒを狭め又は広げることができるものであって、
該掛け渡し部３をカフスＣのボタンホールＨに挿通した上でカフスＣのボタンＢに掛け、
閉塞部４によって掛け渡し部３の輪状部Ｒを狭めることによって装着することを特徴とするカフスボタン。
【請求項３】
掛け渡し部３が紐状部材よりなることを特徴とする請求項１又は２のいずれかに記載のカフスボタン。
【請求項４】
掛け渡し部３が紐状弾性体よりなることを特徴とする請求項１又は２のいずれかに記載のカフスボタン。
【請求項５】
閉塞部４の孔４０内に連結環２を挟んで両側に突出した掛け渡し部３を挿通するものであり、該孔４０内には両掛け渡し部３間に係止片４１を有し、掛け渡し部３が閉塞部４からの抜けを防止したことを特徴とする請求項２乃至請求項４のいずれかに記載のカフスボタン。
【請求項６】
閉塞部４が２つの孔４０を有し、それぞれの孔４０に掛け渡し部３が挿通することを特徴とする請求項１乃至４のいずれかに記載のカフスボタン。
【請求項７】
連結環２は、環の一部を開閉可能に構成するものであり、
該環の一部の開被により飾りボタン１又は掛け渡し部３を交換可能としたことを特徴とする請求項２乃至請求項６のいずれかに記載のカフスボタン。
【請求項８】
カフスＣのボタンホールＨに変えてシャツの襟元のボタンホールに挿通した上で該シャツのボタンに掛けるものであり、シャツの襟元に装着することによって襟元止めできることを特徴とする請求項１乃至７のいずれかに記載のカフスボタン。
【考案の詳細な説明】
【技術分野】
【０００１】
本考案は、ワイシャツ等の袖口のカフスを留めるカフスボタンに関する。
【背景技術】
【０００２】
従来より、男性用のワイシャツ等或いは女性用のシャツやブラウス等のカフスを留めるためにカフスボタンは多用されているものである。
例えば特開２０００‐２１０１０５号（特許文献１）に示すカフスボタンが存在する。
係るカフスボタンは、ボタン本体の裏側に支持枠を垂設し、この支持枠の先端部にストッパーピンを枢着してなるカフスボタンである。
この他、同様にボタン本体に突設した脚杆の切れ込みに留め具を枢着軸によって回動自在に支持したカフスボタンも特開平１０‐７１００５号（特許文献２）として存在する。
【０００３】
更に、袖上げ用のカフスボタンとして特開２０００‐４１７０８号（特許文献３）が存在する。
係る発明は、カフスボタンのつなぎ部にコイルバネの輪状部を設け、他端に留め金具を有するカフスボタンである。
更に、実用新案登録第３０３７５１８号（特許文献４）に示すカフスボタンも存在する。
係るカフスボタンは、表面を装飾面としたボタン本体の裏側に例えば伸縮性などを有する掛け紐を固着させたカフスボタンからなる。
【特許文献１】特開２０００‐２１０１０５号
【特許文献２】特開平１０‐７１００５号
【特許文献３】特開２０００‐４１７０８号
【特許文献４】実用新案登録第３０３７５１８号
【考案の開示】
【考案が解決しようとする課題】
【０００４】
以上の様に、カフスを留めるカフスボタンは従来より多用されているものである。
しかし、まず特許文献１に示すカフスボタンは、一般的に多用されている基本形態よりなるカフスボタンであり、袖口の双方にボタンホールを有する場合に用いることができ、お互いに重なり合うカフスの両端のボタンホールに該カフスボタンの支持枠を挿通して、ストッパーピンを回転させて係止することによって留めるものである。
従って、例えばカフスの一端部にボタンホールを有し、他端部にはボタンホールを有さないカフス形状に使用することはできないものである。
【０００５】
又、該カフスボタンは一体で形成されており、飾り部分の交換が必要な場合にはカフスボタン自体の交換が必要であった。
次に、特許文献２に関しても同様にお互いに重なり合うカフスの両端のボタンホールに脚杆を挿通し、更に該留め具を回動することによって留めるものである。
従って、前記と同様にカフスの両端にボタンホールを有する場合しか使用できず、又飾り部分に関しても一体的に構成されていることから飾り部分を変えるにはカフスボタン自体を交換しなければならないものである。
更に、特許文献３に関しては、つなぎ部にコイルバネの輪状部を設け、他端に留め金具を有するカフスボタンからなることから、一のカフスにおいてボタンを有する構成でも輪状部を掛けることができるのでカフスを留めることは可能である。
【０００６】
しかし、該発明はもともと袖をたくし上げた際の袖上げようのものであり、つなぎ部によって間隔を持ってカフス両端のボタンとボタンホールを留めるものであり、手首での使用においては見栄え良くきっちりととめることはできないものであり、たくし上げた段階で最適に使用できる形態に過ぎないものである。
更に係るために装飾的な価値もないものである。
【０００７】
この場合特許文献３においても装飾ボタン部を用いた形態を示すが、係る形態においてはもはや袖のボタンとはとめることができない一般的な構成に過ぎず、カフスの両端にボタンホールを有する場合しか使用できないものである。
次に特許文献４に示すカフスボタンは、係るカフスボタンは、表面を装飾面としたボタン本体の裏側に例えば伸縮性などを有する掛け紐を固着させたカフスボタンからなる。
【０００８】
従って、カフスの一端にボタンホールを有し、他端にボタンを有する構成においても使用できるものであり、掛け紐をボタンに掛けられる点で極めて有用である。
更に装飾面を有することから装飾性も高いものである。
しかし、本構成においては、該特許文献４に示す通り、装飾面を有するボタンの裏側に掛け紐を取り付けるものであることから、これらは一体に構成されており、異なる装飾面が必要な場合には、もはや別のカフスボタンに取り替えなければならないものである。
更に最も重要な点は掛け紐を用いてボタンに掛けて留めるものであるが、掛け紐は掛けるだけであり、容易に外れてしまうという欠点を有するものである。
即ち、カフスの両端のボタンホールを挿通して掛け紐をボタンに掛けたとしても、その必要な長さは極めて短いものであり、ボタンに掛けられる程度の余裕を有する掛け紐であれば、装着後に簡単に外れてしまうこととなる。
【０００９】
更にこの部分を伸縮性を有する掛け紐を用いたとしても、ボタンに掛けられるための必要な長さはカフス間のボタンホールの幅に比べて極めて長いものであり、この余裕分によって同様に簡単に外れてしまうものであった。
又、伸縮性の有無に係りなく、ボタンに掛けられるだけの遊びの長さを有することから、カフスを重ね合わせてボタンホールを挿通して装着した場合においても、ボタンにかけまわすための余裕分によって該カフスの重ね合わせにおいてもゆるみが出てしまうものであった。
なお、掛け紐に関して伸縮性の極めて高い組みひもを用いた場合にはこの緩みの程度も低くなる可能性は有するが、今度は反面ボタン部分が引っ張られてしまい、装着状態の見栄えが極めて悪くなってしまうものである。
更に、ボタンから取り外す際には極めてこの組み紐がつかみにくくなるものとなり、使い勝手も悪いものとなりかねなかった。
【００１０】
以上のように、従来のカフスボタンに関してはいずれも欠点を有しており、特にカフスの一の端部にボタンホールを有し、他端に少なくとも一のボタンを有するカフスにおいて使用できると共にその使用勝手も高く、更にはきっちりとカフスを留めることのできるカフスボタンの提供が望まれているものである。
更には、カフスボタンの装飾部分の交換を可能とするカフスボタンの提供も要望されているものである。  
【課題を解決するための手段】
【００１１】
本考案は、係る課題を解決するものであり、係るため請求項１に記載の考案は飾りボタンと輪状の掛け渡し部とを有し、該掛け渡し部は閉塞部によって該輪状部分を狭め又は広げることができるものであって、該掛け渡し部をカフスのボタンホールに挿通した上でカフスのボタンに掛け、閉塞部によって掛け渡し部の輪状部を狭めることによって装着するカフスボタンからなり、係る考案によって前記課題を解決できるものである。
又、請求項２に係る考案は飾りボタンとこの飾りボタンに連結する連結環と、該連結環に連結する輪状の掛け渡し部とを有し、該掛け渡し部は閉塞部によって該輪状部分を狭め又は広げることができるものであって、該掛け渡し部をカフスのボタンホールに挿通した上でカフスのボタンに掛け、閉塞部によって掛け渡し部の輪状部を狭めることによって装着するカフスボタンからなり、係る考案によっても同様に前記課題を見事に解決できる。
これらの場合、請求項３に係る考案のように掛け渡し部が紐状部材よりなるカフスボタンでも、或いは請求項４に係る考案のように掛け渡し部が紐状弾性体よりなるカフスボタンでもよい。
【００１２】
更に、請求項５に係る考案のように閉塞部の孔内に連結環を挟んで両側に突出した掛け渡し部を挿通するものであり、該孔内には両掛け渡し部間に係止片を有し、掛け渡し部が閉塞部からの抜けを防止したカフスボタンでも、或いは請求項６に係る考案のように閉塞部が２つの孔を有し、それぞれの孔に掛け渡し部が挿通するカフスボタンを用いてもよい。
或いは、これらの他、請求項７に係る考案のように、連結環は、環の一部を開閉可能に構成するものであり、該環の一部の開被により飾りボタン又は掛け渡し部を交換可能としたカフスボタンを用いてもよい。
或いは、請求項８に係る考案のように、カフスのボタンホールに変えてシャツの襟元のボタンホールに挿通した上で該シャツのボタンに掛けるものであり、シャツの襟元に装着することによって襟元止めできるカフスボタンを用いることによって、本考案の使用範囲を広げることができる。
【考案の効果】
【００１３】
以上のように構成することにより、まず、ボタンホールとボタンを有するカフスにおいて飾りボタンを有するカフスボタンを装着することができるものである。
従って、各種のカフスに対応して用いることのできるカフスボタンの提供を可能とする。
更に、閉塞部で簡単かつ確実にカフスボタンを係止でき、又その取り外しも閉塞部を移動することによって簡単にできる。
従って、本考案に係るカフスボタンはその着脱が簡単であると共に閉塞部できっちりと係止できることから不用意に外れることがなく安心して装着することができる。
更に、装着状態も掛け渡し部を閉塞部できっちりと抑えることができることから見栄えよく装着できるものである。
【００１４】
この他、例えば請求項３に係る考案によりボタン紐への掛けわたしや掛けはずしを容易にすると共に請求項４に係る考案によって弾力を以って掛けはずしを可能とし、更には装着時により収まりよく装着できることとなる。
又、請求項５又は６に係る考案によって閉塞部の不用意な脱落を防止できると共に閉塞部の移動を使いやすくできるものである。
又、請求項７に係る考案によれば、連結環の開被によって、任意に飾りボタンや掛け渡し部の交換を行えるものとなる。
更に請求項８に係る考案によればカフスボタンをシャツの襟元にも使用でき、襟元の装飾的価値を高めることができると共に、不用意に開く襟元をきっちりと見栄えよくとめることができるものである。
【考案を実施するための最良の形態】
【００１５】
図１は、本考案に係るカフスボタンの一例を示す図であり、飾りボタン１の裏には連結用のボタン環１１を有している。
該ボタン環１１には更に連結環２を有し、更に該連結環２には掛け渡し部３を有している。
該掛け渡し部３は紐状形状が輪状に構成されているものであって、連結環２に挿通し更にその環部２から出た両紐部分が閉塞部４の孔内に挿通しているものである。
従って、掛け渡し部３は連結環２に挿通した上で該連結環２をはさんで両側に突出した掛け渡し部３を閉塞部４の孔内に更に挿通するものである。
【００１６】
従って、該閉塞部４を飾りボタン１から離れた方向に移動することによって掛け渡し部３の連結環２を挿通していない輪状部Ｒは狭まることとなる。
これは、この掛け渡し部３をカフスＣのボタンＢに掛けるものであり、該閉塞部４の移動によって輪状部Ｒを縮めてボタン紐Ｓを挟むことができるものである。
反対にこれをはずす際には、この閉塞部４を移動して輪状部Ｒを広げることによってボタンＢから掛け外すことができるものである。
【００１７】
以上のように、必要に応じて掛け渡し部３の輪状の部分Ｒを閉塞部４の移動によって狭め又は広げることができ、ボタン紐Ｓにきっちりと係止することができると共に逆にボタンＢから掛けはずすことも簡単にできるものである。
本考案において、掛け渡し部３は紐状部材でよく、例えば一般的な各種紐を用いるものでも、或いは紐状弾性体例えば弾性樹脂性やゴム或いはゴム紐等を用いるものであってもよい。
本図に示す構成は、一例として樹脂製の紐状弾性体で構成している一例を示す。
例えば紐状弾性体で構成することによって、必要に応じて輪状に広がろうとする力が働き、ボタンＢにかけ渡ししやすくなると共に、閉塞部４を移動して輪状部Ｒを狭めることもできる。
【００１８】
図２は、カフスＣのボタンホールＨの外側に飾りボタン１を位置させた上で掛け渡し部３をボタンホールＨに挿通し、更にカフスＣの他端のボタンＢに掛け渡し部３を掛けた状態の一例を示す図である。
本図のようにカフスＣのボタンＢにきっちりと掛けられると共に、閉塞部４で掛け渡し部３の輪状部Ｒを閉じてボタン紐Ｓにきっちりと係止することができるものである。
図３は、カフスＣの両端にボタンホールＨを有すると共に、一のカフスＣには更にボタンＢを有する場合の装着の一例を示す図である。
本図に示す場合においてはカフスＣの端部を重ね合わせて、それぞれのボタンホールＨの位置を合わせ、そのボタンホールＨ内に掛け渡し部３を挿通するものである。
【００１９】
従って、一のボタンホールＨの外側には飾りボタン１が位置し、他のボタンホールＨからは掛け渡し部３が出ることとなる。
この掛け渡し部３の輪状部Ｒを該カフスＣのボタンＢに掛け渡した上で、閉塞部４を移動して輪状部Ｒを閉じるものである。
従って該ボタンＢの紐Ｓの部分を輪状部Ｒで押さえることとなり、きっちりと装着できるものである。
図４は、閉塞部４によって輪状部Ｒを閉じた状態を示す図である。
従って、この閉じた輪状部Ｒによってきっちりと装着できると共に、反面閉塞部４を移動して輪状部Ｒを広げることによって、ボタンＢへの掛け外しが容易となる。
【００２０】
尚、閉塞部４の輪状部Ｒ方向の孔内には係止片４１を有しており、掛け渡し部３が閉塞部４の孔内から抜け出てしまうことを防止できるものである。
図５は、本考案に係るカフスボタンに係る更に快適な一例を示す図である。
本図に示す構成においては、閉塞部４が掛け渡し部３の紐状部分に合致する二つの孔４０を有する閉塞部４からなり、それぞれの孔４０に該連結環２をはさんでそれぞれ両側に突出した掛け渡し部３の紐状部を挿通して構成しているものである。
従って、この閉塞部４を移動しても輪状部Ｒは縮まるが外れてしまうことはなくなる。
【００２１】
図６は、図５に示すカフスボタンを用いてボタンＢに掛けた上で閉塞部４を閉じた状態の一例を示す図である。
本図に示すように掛け渡し部３の輪状部Ｒは、閉塞部４によって閉じられた上で、該輪状部ＲによってカフスＣのボタンＢのボタン紐Ｓにきっちりと係止できるものである。
図７は、本考案の更なるバリエーションを示す図であり、連結環２が開被自在に構成されている一例を示す図である。
即ち、連結環２の一部を開被可能に可動自在としたことによって、ボタン環１１から簡単に着脱自在とし、更には必要に応じて掛け渡し部３も着脱自在とした一例を示す図である。
【００２２】
この様に構成することによって、必要に応じて飾りボタン１の付け替えや掛け渡し部３の付け替えを行うことができる。
尚、本図に示す連結環２は環内部にバネによって弾圧された可動部２１を有し、この弾圧に抗して可動部をその取手部分２２を用いて移動することによって連結環２の一部２１が開被されるものとなる。
従って開被された部分から取り外すことができるものである。
尚、掛け渡し部がねじれて表示されているが、これはひねった状態の一例を示すに過ぎず、他の図のように紐状部材であればよく、例えば弾性紐状部材によって輪状に構成されたものなどであればよい。
従ってねじれていても、いなくともいずれであってもよいものである。
【００２３】
更に、閉塞部Ｒに関しては、該表面に装飾を施した一例を 示すものである。
この場合、二つの孔は開いた状態の閉塞部４の両端辺部をそれぞれ折り曲げてそれぞれの輪状部Ｒを構成した一例を示す図である。
本構成は閉塞部Ｒの一例を示す図であり、本構成に限定されるものではない。
以上のように、本考案に係るカフスボタンは、本来的にはカフスに用いるものであるが、この他、本カフスボタンを 用いて種々の部位の係り止めを 可能とするものである。
シャツの襟元部分、即ち襟元の第一ボタンや第二ボタン或いは第三ボタン等のボタンを有するシャツに関し、該シャツの襟元のボタンホール部分に使用するものであってもよい。
【００２４】
即ち、襟元のボタンホールの外側に飾りボタン１を位置させた上で掛け渡し部３をボタンホールに挿通し、更に対応するシャツのボタンに掛け渡し部３を掛けた上で該閉塞部４を飾りボタン１から離れた方向に移動することによって掛け渡し部３のボタンにかけた方向の部位の輪状部Ｒは狭まることとなる。
これによって、襟元の不用意な広がりは防止でき、襟元を適度に閉めた状態を表出できると共に飾りボタンで襟元を飾ることができる。
特に襟元のボタンにきっちりと装着できると共に簡単にはずすことができることからその着脱は容易であると共に装着時においては不用意な本カフスボタンの外れ等は防止できるものである。
【００２５】
尚、本考案に係るカフスボタンは、カフスに使用するものであることからカフスボタンと表現するが、もとより該カフスボタンを襟元に使用することによって襟元止めとしても使用できるものであり、カフスの使用するものだけを 限定するものではない。
従って便宜上カフスボタンとして表現するが、シャツの襟元などにおいて使用するものも含まれるものである。
【図面の簡単な説明】
【００２６】
【図１】本考案に係るカフスボタンの一例を示す図
【図２】本考案に係るカフスボタンの装着状態の一例を示す図
【図３】本考案に係るカフスボタンの装着状態の他の一例を示す図
【図４】本考案に係るカフスボタンの他の一例を示す図
【図５】本考案に係るカフスボタンの他の一例を示す図
【図６】本考案に係るカフスボタンの装着状態の一例の一部を示す図
【図７】本考案に係るカフスボタンの他の一例を示す図
【符号の説明】
【００２７】
１    飾りボタン
１１    ボタン環
２    連結環
２１    可動部
２２    取手部分
３    掛け渡し部
４    閉塞部
４０    孔
４１    係止片
Ｒ    輪状部
Ｃ    カフス
Ｂ    ボタン
Ｓ    ボタン紐
Ｈ    ボタンホール  
【図１】
0003125296.tif 000003
【図２】
0003125296.tif 000004
【図３】
0003125296.tif 000005
【図４】
0003125296.tif 000006
【図５】
0003125296.tif 000007
【図６】
0003125296.tif 000008
【図７】
0003125296.tif 000009